(57)【要約】【課題】サービスの申請において、家族内における保持者以外の人間を登録する際、入力の手間がかからず、かつ家族の各人間の個人情報を正確に一括して登録することが可能なシェアリングサービスシステムを提供する。【解決手段】本発明のシェアリングサービスシステムは、携帯する保持者の識別情報である個人識別情報認証機関が認証した個人識別情報と、保持者の家族の自身を含めた構成員のうち当該保持者以外の構成員の識別情報である個人識別情報認証機関が認証した構成員識別情報とが記憶された個人識別情報記録装置と、保持者から所定のサービスの利用が申請された際、申請した保持者の個人識別情報と、当該保持者の家族の構成員識別情報とを、個人識別情報記録装置から取得し、保持者、構成員それぞれにサービスを提供する対象者として登録するサービス提供サーバとを備える。【選択図】図１
2020013496.tif 000002
【特許請求の範囲】
【請求項１】
携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とが記憶された個人識別情報記録装置と、
前記保持者から所定のサービスの利用が申請された際、申請した前記保持者の前記個人識別情報と、当該保持者の家族の前記構成員識別情報とを、前記個人識別情報記録装置から取得し、前記保持者、前記構成員それぞれに前記サービスを提供する対象者として登録するサービス提供サーバと
を備えることを特徴とするシェアリングサービスシステム。
【請求項２】
前記個人識別情報記録装置がさらに記憶部をさらに備えており、
前記記憶部が、
前記個人識別情報認証機関が利用する領域である機関利用領域以外に、自身を保持する前記保持者の前記個人識別情報と、当該保持者の家族の前記構成員識別情報とが、予め前記個人識別情報認証機関の個人情報付与サーバにより書き込みに利用できる利用可能領域を有する
ことを特徴とする請求項１に記載のシェアリングサービスシステム。
【請求項３】
前記サービス提供サーバが、
前記保持者から所定のサービスの利用が申請された場合、申請した前記保持者の前記個人識別情報と、当該保持者の家族の前記構成員識別情報とが前記個人識別情報認証機関により付与された個人識別情報であるか否かを、前記サービスを提供する対象者として登録する際に、前記個人情報付与サーバに認証を依頼する
ことを特徴とする請求項２に記載のシェアリングサービスシステム。
【請求項４】
前記サービス提供サーバが、
前記構成員から前記サービスの利用が要求された際、要求した構成員自身または家族の他の構成員が前記対象者として登録されているか否かの判定を行なう
ことを特徴とする請求項１から請求項３のいずれか一項に記載のシェアリングサービスシステム。
【請求項５】
前記サービス提供サーバが前記サービスを提供する際に、当該サービスを利用可能か否かの判定を行なうために参照する利用者管理データベースをさらに備え、
前記サービス提供サーバが、
前記保持者が前記サービスを申請した際、前記保持者の前記個人識別情報と、当該保持者の家族の前記構成員の構成員識別情報との各々を対応付けて、前記利用者管理データベースに書き込んで管理する
ことを特徴とする請求項１から請求項４のいずれか一項に記載のシェアリングサービスシステム。
【請求項６】
前記サービス提供サーバが、前記利用者管理データベースを参照し、要求した構成員自身または家族の他の構成員が前記対象者として登録されているか否かの判定を行なう
ことを特徴とする請求項５に記載のシェアリングサービスシステム。
【請求項７】
前記サービス提供サーバが、
申請した前記構成員以外の他の構成員から前記サービスの利用を初めて受けた際、前記他の構成員の家族の構成員に当該サービスを利用できる前記対象者の有無を検出し、前記他の構成員の家族の構成員のいずれかが前記対象者である場合、前記他の構成員を前記サービスを利用する前記対象者として登録する
ことを特徴とする請求項１から請求項５のいずれか一項に記載のシェアリングサービスシステム。
【請求項８】
前記サービスを行う際に用いるパスワードが、前記保持者の前記個人識別情報である
ことを特徴とする請求項１から請求項６のいずれか一項に記載のシェアリングサービスシステム。
【請求項９】
個人識別情報及び構成員識別情報の各々を有し、所定のサービスの利用が申請された際、申請した保持者の前記個人識別情報と、当該保持者の家族における構成員の前記構成員識別情報とを個人識別情報記録装置から取得し、前記保持者、前記構成員それぞれに前記サービスを提供する対象者として登録するサービス提供サーバを備えたシェアリングサービスシステムで用いられる識別情報記録装置であり、
携帯する保持者の識別情報である個人識別情報認証機関が認証した前記個人識別情報と、前記保持者の家族における自身を含めた構成員のうち当該保持者以外の前記構成員の識別情報である個人識別情報認証機関が認証した前記構成員識別情報とが記憶されている
ことを特徴とする個人識別情報記録装置。
【請求項１０】
携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とが記憶された個人識別情報記録装置を備えたシェアリングサービスシステムで用いられるサービス提供サーバであり、
前記保持者から所定のサービスの利用が申請された際、申請した前記保持者の前記個人識別情報と、当該保持者の家族の前記構成員識別情報とを前記個人識別情報記録装置から取得し、前記保持者、前記構成員それぞれに前記サービスを提供する対象者として登録する
ことを特徴とするサービス提供サーバ。
【請求項１１】
携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とを個人識別情報記録装置に書き込んで記憶させる過程と、
サービス提供サーバが、前記保持者から所定のサービスの利用が申請された際、申請した前記保持者の前記個人識別情報と、当該保持者の家族の前記構成員識別情報とを前記個人識別情報記録装置から取得し、前記保持者、前記構成員それぞれに前記サービスを提供する対象者として登録する過程と
を含むことを特徴とするシェアリングサービス方法。
【発明の詳細な説明】
【技術分野】
【０００１】
本発明は、シェアリングサービスシステム、個人識別情報記録装置、サービス提供サーバ及びシェアリングサービス方法に関する。
【背景技術】
【０００２】
近年、カーシェアリングサービス（例えば、特許文献１参照）などに代表されるシェアリングサービスの一つとして、家族内のいずれかの人間が申し込んだサービス（ポイント付与サービスなど）を、家族の他の人間が共有して利用できる仕組みがある。
ここで、サービスを提供するサービス提供会社のホームページにおける申請、例えば電子申請サービスを利用して、サービスの共有による利用を申請する。
【０００３】
この申請の際、申請者の家族において、申請者が申請するサービスを共有したい人間が他にいる場合、利用したい人間の情報を申請者本人とともに登録する。
これにより、申請者が利用を申請したサービスを、申請者を含め登録した家族の人間が共通に利用（家族のなかで共有）することができる。
【先行技術文献】
【特許文献】
【０００４】
【特許文献１】特開２０１８−１８２５０号公報
【発明の概要】
【発明が解決しようとする課題】
【０００５】
しかしながら、サービスを共有しようとして、申請者が家族の他の人間を申請の際に登録する場合、家族においてサービスを共有したい他の人間の個人情報を、この他の人間の身分証明書などを参照しながら、キーボードやタッチパネルなどから手入力する必要がある。
このため、申請欄に対して個人情報を手入力する作業に手間がかかり、かつ個人情報を誤入力する虞があり、効率的でかつ正確な申請を行なうことが面倒である。
【０００６】
また、身分証明書を有していない人間が家族内に存在する場合、その人間は身分を証明する情報を有していないため登録自体ができず、家族であるにもかかわらず、申請者の申請するサービスを共有することはできない。
また、サービスを提供する側のサービス提供会社にとっても、家族内の複数の人間が同様に使用するサービスの登録に際して、家族の人数分の回数を繰り返すことになるため、申請を受理するための作業が繁雑になってしまう。
【０００７】
本発明は、このような状況に鑑みてなされたもので、サービスの申請において、家族内における申請者以外の人間を登録する際、入力の手間がかからず、かつ家族の各人間の個人情報を正確に一括して登録することが可能なシェアリングサービスシステム、個人識別情報記録装置、サービス提供サーバ及びシェアリングサービス方法を提供する。
【課題を解決するための手段】
【０００８】
上述した課題を解決するために、本発明のシェアリングサービスシステムは、携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とが記憶された個人識別情報記録装置と、前記保持者から所定のサービスの利用が申請された際、申請した前記保持者の前記個人識別情報と、当該保持者の家族の前記構成員識別情報とを、前記個人識別情報記録装置から取得し、前記保持者、前記構成員それぞれに前記サービスを提供する対象者として登録するサービス提供サーバとを備えることを特徴とする。
【０００９】
本発明のシェアリングサービスシステムは、前記個人識別情報記録装置がさらに記憶部をさらに備えており、前記記憶部が、前記個人識別情報認証機関が利用する領域である機関利用領域以外に、自身を保持する前記保持者の前記個人識別情報と、当該保持者の家族の前記構成員識別情報とが、予め前記個人識別情報認証機関の個人情報付与サーバにより書き込みに利用できる利用可能領域を有することを特徴とする。
【００１０】
本発明のシェアリングサービスシステムは、前記サービス提供サーバが、前記保持者から所定のサービスの利用が申請された場合、申請した前記保持者の前記個人識別情報と、当該保持者の家族の前記構成員識別情報とが前記個人識別情報認証機関により付与された個人識別情報であるか否かを、前記サービスを提供する対象者として登録する際に、前記個人情報付与サーバに認証を依頼することを特徴とする。
【００１１】
本発明のシェアリングサービスシステムは、前記サービス提供サーバが、前記構成員から前記サービスの利用が要求された際、要求した構成員自身または家族の他の構成員が前記対象者として登録されているか否かの判定を行なうことを特徴とする。
【００１２】
本発明のシェアリングサービスシステムは、前記サービス提供サーバが前記サービスを提供する際に、当該サービスを利用可能か否かの判定を行なうために参照する利用者管理データベースをさらに備え、前記サービス提供サーバが、前記保持者が前記サービスを申請した際、前記保持者の前記個人識別情報と、当該保持者の家族の前記構成員の構成員識別情報との各々を対応付けて、前記利用者管理データベースに書き込んで管理することを特徴とする。
【００１３】
本発明のシェアリングサービスシステムは、前記サービス提供サーバが、前記利用者管理データベースを参照し、要求した構成員自身または家族の他の構成員が前記対象者として登録されているか否かの判定を行なうことを特徴とする。
【００１４】
本発明のシェアリングサービスシステムは、前記サービス提供サーバが、申請した前記構成員以外の他の構成員から前記サービスの利用を初めて受けた際、前記他の構成員の家族の構成員に当該サービスを利用できる前記対象者の有無を検出し、前記他の構成員の家族の構成員のいずれかが前記対象者である場合、前記他の構成員を前記サービスを利用する前記対象者として登録することを特徴とする。
【００１５】
本発明のシェアリングサービスシステムは、前記サービスを行う際に用いるパスワードが、前記保持者の前記個人識別情報であることを特徴とする。
【００１６】
本発明の個人識別情報記録装置は、個人識別情報及び構成員識別情報の各々を有し、所定のサービスの利用が申請された際、申請した保持者の前記個人識別情報と、当該保持者の家族における構成員の前記構成員識別情報とを個人識別情報記録装置から取得し、前記保持者、前記構成員それぞれに前記サービスを提供する対象者として登録するサービス提供サーバを備えたシェアリングサービスシステムで用いられる識別情報記録装置であり、携帯する保持者の識別情報である個人識別情報認証機関が認証した前記個人識別情報と、前記保持者の家族における自身を含めた構成員のうち当該保持者以外の前記構成員の識別情報である個人識別情報認証機関が認証した前記構成員識別情報とが記憶されていることを特徴とする。
【００１７】
本発明のサービス提供サーバは、携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とが記憶された個人識別情報記録装置を備えたシェアリングサービスシステムで用いられるサービス提供サーバであり、前記保持者から所定のサービスの利用が申請された際、申請した前記保持者の前記個人識別情報と、当該保持者の家族の前記構成員識別情報とを前記個人識別情報記録装置から取得し、前記保持者、前記構成員それぞれに前記サービスを提供する対象者として登録することを特徴とする。
【００１８】
本発明のシェアリングサービス方法は、携帯する保持者の識別情報である個人識別情報認証機関が認証した個人識別情報と、前記保持者の家族における自身を含めた構成員のうち当該保持者以外の前記構成員の識別情報である個人識別情報認証機関が認証した構成員識別情報とを個人識別情報記録装置に書き込んで記憶させる過程と、サービス提供サーバが、前記保持者から所定のサービスの利用が申請された際、申請した前記保持者の前記個人識別情報と、当該保持者の家族の前記構成員識別情報とを前記個人識別情報記録装置から取得し、前記保持者、前記構成員それぞれに前記サービスを提供する対象者として登録する過程とを含むことを特徴とする。
【発明の効果】
【００１９】
以上説明したように、本発明によれば、サービスの申請において、家族内における申請者以外の人間を登録する際、入力の手間がかからず、かつ家族の各人間の個人情報を正確に一括して登録することが可能なシェアリングサービスシステム、個人識別情報記録装置、サービス提供サーバ及びシェアリングサービス方法を提供することができる。
【図面の簡単な説明】
【００２０】
【図１】本発明の一実施形態によるシェアリングサービスシステムの構成例を示すブロック図である。
【図２】個人識別情報記録装置１における記憶部１２の利用可能領域に書き込まれた、この個人識別情報記録装置１を携帯する利用者（本人）に対応した個人識別情報テーブルの構成例を示す図である。
【図３】個人識別情報記録装置１における記憶部１２の利用可能領域に書き込まれた、本人の家族の構成員のうち本人以外の構成員に対応した構成員識別情報テーブルの構成例を示す図である。
【図４】利用者管理データベース２２に書き込んで記憶される、家族毎に設けられる家族構成員テーブルの構成例を示す図である。
【図５】利用者管理データベース２２にサービスの種類毎に設けられた、サービスを利用できる利用者を示す利用者テーブルの構成例を示す図である。
【図６】シェアリングサービスシステム１００による、保持者（本人）によるサービス提供会社に対するサービスの申請処理の動作例を示すフローチャートである。
【図７】シェアリングサービスシステム１００による、家族における保持者（本人）以外の構成員がサービスの利用を行なう処理の動作例を示すフローチャートである。
【発明を実施するための形態】
【００２１】
以下、本発明の一実施形態について、図面を参照して説明する。
図１は、本発明の一実施形態によるシェアリングサービスシステムの構成例を示すブロック図である。図１において、シェアリングサービスシステム１００は、個人識別情報記録装置１と、サービス提供サーバ２１及び利用者管理データベース２２と、ユーザ端末３１及びカードリーダライタ３２と、個人情報付与サーバ４１及び個人情報管理データベース４２の各々を備えている。
【００２２】
個人識別情報記録装置１、サービス提供サーバ２１及び個人情報付与サーバ４１の各々は、インターネットを含むデータの送受信を行なう情報通信網２００を介して接続されている。
サービス提供サーバ２１及び利用者管理データベース２２の各々は、サービスを提供するサービス提供会社の管理センターであるサービス提供会社管理センター２に備えられている。また、ユーザ端末３１及びカードリーダライタ３２の各々は、後述する保持者の利用者宅３に備えられている。個人情報付与サーバ４１及び個人情報管理データベース４２の各々は、個人識別情報認証機関４に備えられている。
【００２３】
個人識別情報記録装置１は、例えばＩＣ（integrated circuit）カードであり、カード制御部１１、記憶部１２及びカードアプリケーション１３の各々を備えている。カード制御部１１は、例えば、ＣＰＵ（central processing Unit）を含む回路であり、個人識別情報記録装置１におけるデータの送受信を含む各種制御を行なう。
記憶部１２は、個人識別情報認証機関が用いる記憶領域である機関利用領域と、サービス提供会社などがサービス提供などの処理に用いることができる利用可能領域（すなわち、機関利用領域に対する空き領域）とがある。
【００２４】
個人識別情報認証機関４は、個人識別情報記録装置１を作製する際に、作製を依頼した各個人の認証を行ない、個人それぞれを認証する情報を有し、個人識別情報記録装置１における個人識別情報が自身が与えた情報か否かの認証を行なう。機関利用領域には、利用者を証明する電子証明書や、電子証明書を運用するためのアプリケーションプログラムがなど、個人識別情報認証機関４が個人の認証に用いるデータが予め書き込まれて記憶されている。個人識別情報認証機関４は、例えば、Ｊ−ＬＩＳ（japan agency for local authority information systems、地方公共団体情報システム機構）などである。また、個人識別情報記録装置１は、例えば、個人番号カード（所謂マイナンバーカード）などである。例えば、ＩＣカードが個人番号カードである場合、上記利用可能領域が記憶領域における空き領域であり、個人識別情報を格納するアプリケーションである。
【００２５】
個人識別情報記録装置１の保持者（以下、単に保持者と示す）は、個人識別情報認証機関４に対して個人識別情報記録装置１を取得申請した際、認証を受けた際に個人識別情報が付与され（あるいは保持者個人が設定して）、この個人識別情報が利用可能領域に書き込まれる。ここで、個人識別情報認証機関４において、個人情報付与サーバ４１が、個人識別情報を付与し、かつ付与した個人識別情報を、個人識別情報記録装置１の記憶部１２における利用可能領域に対して書き込んで記憶させる。また、個人情報付与サーバ４１は、保持者に付与した個人識別情報と、この保持者の認証に用いた属性情報とともに、個人情報管理データベース４２に対して書き込み登録し、個人識別情報の管理を行なう。
【００２６】
図２は、個人識別情報記録装置１における記憶部１２の利用可能領域に書き込まれた、この個人識別情報記録装置１を携帯する保持者（本人）に対応した個人識別情報テーブルの構成例を示す図である。ここで、本人とは、サービスの利用を申請した、個人識別情報記録装置１の保持者を示している。
図２において、個人識別情報テーブルには、本人である保持者の個人識別情報、氏名、生年月日、連絡先及びその他の情報の各々の欄が設けられている。
【００２７】
個人識別情報は、個人識別情報認証機関４において保持者（本人、すなわち個人識別情報記録装置１を保持者する人間）に対して付与された、保持者（本人）を識別する識別情報である。氏名は、利用者の名前である。生年月日は、保持者が生まれた年と、月と、日にちを示す。連絡先は、住所及び電話番号である。その他の情報は、性別、職業、趣味などである。ここで、氏名、生年月日、連絡先及びその他の情報の各々は、保持者の属性情報である。
【００２８】
図１に戻り、個人識別情報認証機関４は、保持者から家族における自身以外の構成員の各々の個人識別情報を設定する依頼を受けると、個人情報付与サーバ４１により、依頼した保持者の家族のシェアリングサービスに対応した家族情報を個人識別情報記録装置１に書き込む。
すなわち、 個人情報付与サーバ４１は、家族における自身以外の構成員の各々の個人識別情報を設定する依頼に対応し、家族情報としてこれら構成員の個人識別情報を、個人識別情報記録装置１の記憶部１２における利用可能領域に、ユーザ端末３１を介してカードリーダライタ３２により書き込んで記憶させる。あるいは、個人情報付与サーバ４１が、個人識別情報認証機関４のカードリーダライタにより、個人識別情報記録装置１の記憶部１２における利用可能領域に書き込んだ後に、利用者宅３に対して郵送するようにしても良い。
【００２９】
図３は、個人識別情報記録装置１における記憶部１２の利用可能領域に書き込まれた、本人の家族の構成員のうち本人以外の構成員に対応した構成員識別情報テーブルの構成例を示す図である。
図３において、構成員識別情報テーブルには、本人以外の構成員の構成員識別情報、氏名、生年月日、連絡先及びその他の情報の各々の欄が設けられている。
【００３０】
構成員識別情報は、構成員の各々が自身の個人識別情報記録装置１（本人の個人識別情報記録装置１ではなく、構成員の個人識別情報記録装置１）を取得申請した際に個人識別情報認証機関４において付与された個人識別情報であり、構成員の各々を識別する識別情報である。氏名は、構成員の名前である。生年月日は、構成員が生まれた年と、月と、日にちを示す。連絡先は、構成員の住所及び電話番号である。その他の情報は、構成員の性別、職業、趣味などである。ここで、氏名、生年月日、連絡先及びその他の情報の各々は、構成員の属性情報である。
【００３１】
また、個人情報付与サーバ４１は、記憶部１２の利用可能領域における個人識別情報テーブル及び構成員識別情報テーブルの各々のデータの読み出し処理を行なうカードアプリケーション１３のプログラムを上記利用可能領域に書き込む。
また、カード制御部１１は、後述するカードリーダライタ３２により、家族情報の取得の依頼が入力された場合、記憶部１２の利用可能領域におけるカードアプリケーション１３のプログラムを実行し、カードアプリケーション１３を起動させる。これにより、カードアプリケーション１３は、記憶部１２の利用可能領域における個人識別情報テーブル及び構成員識別情報テーブルのそれぞれから、必要なデータを読み出して出力する。
【００３２】
ユーザ端末３１は、パーソナルコンピュータ及びタブレットコンピュータなどである。
カードリーダライタ３２は、ＩＣカードである個人識別情報記録装置１に対するデータの読み出し及び書き込みを行なう。この読み出し時において、ユーザ端末３１は、カードリーダライタ３２を介して、個人識別情報記録装置１におけるカードアプリケーション１３に対して、記憶部１２から個人識別情報及び構成員識別情報の各々を属性情報と共に読み出す処理を行なわせる。
【００３３】
サービス提供サーバ２１は、ユーザ端末３１からサイトがアクセスされ、サービスのホームページにおいて、新たにサービスの利用の申請が行なわれた際、ウェブアプリケーションを用いて、申請を行なう申請フォーマットに対する必要なデータの記述を、ユーザ端末３１に対して依頼する。
また、サービス提供サーバ２１は、カードアプリケーション１３により、記憶部１２の利用可能領域における個人識別情報テーブル及び構成員識別情報テーブルの各々から、個人識別情報及び本人の属性情報と、構成員識別情報及び構成員の属性情報とをそれぞれ読み出させ、上記申請フォーマットの対応する欄に各データを入力する。
【００３４】
そして、サービス提供サーバ２１は、個人情報管理データベース４２に対して、申請フォーマットの各欄に入力された、個人識別情報及び本人の属性情報と、構成員識別情報及び構成員の属性情報とのそれぞれを、利用者管理データベース２２に対して書き込んで記憶させる。
【００３５】
図４は、利用者管理データベース２２に書き込んで記憶される、家族毎に設けられる家族構成員テーブルの構成例を示す図である。家族構成員テーブルの各々には、それぞれの家族を識別する家族識別情報と、本人が利用を申請したサービスを識別する識別情報とのそれぞれが付与されている。
図４において、家族構成員テーブルには、家族構成員情報、個人識別情報、氏名、生年月日、連絡先及びその他の情報の各々の欄が設けられている。
【００３６】
家族構成員情報は、サービスを申請した本人か、家族の構成員において本人以外の構成員であるかを示している。ここで、家族構成員情報に本人と記載されていれば、サービスを申請した構成員（本人）であることを示し、家族＃ｎ（１以上の整数）と記載されていれば、サービスを申請した本人以外の構成員であることを示す。個人識別情報は、個人識別情報認証機関４において、家族における構成員である保持者に対して付与された、保持者本人を識別する識別情報である。氏名は、保持者の名前である。生年月日は、保持者が生まれた年と、月と、日にちを示す。連絡先は、住所及び電話番号である。その他の情報は、性別、職業、趣味などである。ここで、氏名、生年月日、連絡先及びその他の情報の各々は、保持者の属性情報である。
【００３７】
図５は、利用者管理データベース２２にサービスの種類毎に設けられた、サービスを利用できる利用者を示す利用者テーブルの構成例を示す図である。
図５において、利用者テーブルには、個人識別情報、氏名、生年月日、連絡先、その他の情報及び家族識別情報の各々の欄が設けられている。
個人識別情報は、個人識別情報認証機関４において、家族における構成員である利用者に対して付与された、利用者本人を識別する識別情報である。氏名は、利用者の名前である。生年月日は、利用者が生まれた年と、月と、日にちを示す。連絡先は、住所及び電話番号である。その他の情報は、性別、職業、趣味などである。家族識別情報は、サービスの利用を申請した利用者の家族を識別する情報であり、図４の家族識別情報と同様である。
【００３８】
図１に戻り、サービス提供サーバ２１は、サービスの利用を申請した保持者（本人）を、図５に示す利用者管理データベース２２の利用者テーブル（申請したサービスに対応する利用者テーブル）に書き込んで記憶させる（保持者のサービスの利用の登録を行なう）。
また、サービス提供サーバ２１は、家族の構成員における本人以外の構成員に対しては、この本人以外の構成員から、サービスを利用する要求が来た際に、利用者管理データベース２２の利用者テーブルに書き込んで利用者（保持者あるいは保持者の家族における構成員）の登録を行なう。
【００３９】
上述した利用者の登録において、サービス提供会社から提供されるサービスのアカウントは、例えば、ログインＩＤ（identification）及びパスワードにより構成されている。
ログインＩＤは、保持者（本人）を含めた家族の構成員それぞれの個人識別情報である。また、パスワードは、サービスを申請した保持者（本人）の個人識別情報である。
【００４０】
図６は、シェアリングサービスシステム１００による、保持者（本人）によるサービス提供会社に対するサービスの申請処理の動作例を示すフローチャートである。
ステップＳ１０１：
保持者は、自身の利用者宅３におけるユーザ端末３１により、サービスの申請先であるサービス提供会社カンリセンターのサービス提供サーバ２１にアクセスし、サービス提供会社のホームページにおいて、サービスの申請処理を行なう。
このとき、サービス提供サーバ２１は、ユーザ端末３１に対して申請フォーマットを表示させ、申請する保持者及び申請する保持者の家族の構成員の各々の個人識別情報を要求する。
【００４１】
ステップＳ１０２：
ユーザ端末３１は、上述した保持者及び保持者の家族における構成員の各々の個人識別情報を読み取るため、保持者に対して個人識別情報記録装置１をカードリーダライタ３２にかざすことを要求する通知を行なう。
そして、保持者は、個人識別情報記録装置１をカードリーダライタ３２にかざすことにより、保持者自身及び保持者の家族における構成員の各々の個人識別情報の入力を行なう。
これにより、ユーザ端末３１は、カードリーダライタ３２を介して、個人識別情報記録装置１から保持者及び保持者の家族における構成員の各々の個人識別情報を読み取る。
【００４２】
ステップＳ１０３：
これにより、ユーザ端末３１は、カードリーダライタ３２を介して、個人識別情報記録装置１から保持者及び保持者の家族における構成員の各々の個人識別情報を読み取る（個人識別情報の取得）。
【００４３】
ステップＳ１０４：
ユーザ端末３１は、申請フォーマットの対応する箇所に対して、読み取った保持者及び保持者の家族における構成員の各々の個人識別情報を書き込む。ここで、家族における保持者（本人）以外の構成員の個人識別情報は、すでに説明したように構成員識別情報として管理される。
【００４４】
ステップＳ１０５：
ユーザ端末３１は、個人識別情報記録装置１から読み取った保持者及び保持者の家族における構成員の各々の個人識別情報を、申請フォーマットに対して全て書き込んだ後、申請フォーマットをサービス提供サーバ２１に対して送信する。
【００４５】
ステップＳ１０６：
サービス提供サーバ２１は、保持者及び保持者の家族における構成員の各々の個人識別情報それぞれが、個人識別情報認証機関が認証して付与した否かを確認するため、送信された個人識別情報を個人情報付与サーバ４１に送信する。
そして、個人情報付与サーバ４１は、個人情報管理データベース４２を参照し、サービス提供サーバ２１から供給された個人識別情報の各々が認証して付与したか否かの判定を行ない、判定結果をサービス提供サーバ２１に返信する。
【００４６】
このとき、サービス提供サーバ２１は、個人情報付与サーバ４１からの判定結果が、すべての個人識別情報（構成員識別情報を含めて）が認証されているとの判定の場合、処理をステップＳ１０７へ進める。
一方、サービス提供サーバ２１は、個人情報付与サーバ４１からの判定結果が、全ての個人識別情報（構成員識別情報を含めて）のうち一つでも認証されていない個人識別情報が存在する判定の場合、処理をステップＳ１０９へ進める。
【００４７】
ステップＳ１０７：
サービス提供サーバ２１は、新たに保持者の家族に対応する図４に示す家族構成員テーブルを生成し、この家族構成員テーブルに対して、保持者の家族であることを示す家族識別情報を付与し、かつ保持者（本人）が利用を申請したサービスを示すサービス識別情報も添付する。
【００４８】
そして、サービス提供サーバ２１は、生成した家族構成員テーブルにおいて、保持者（本人）に対応する欄の各々に個人識別情報、属性情報それぞれを書き込んで記憶させる。
また、サービス提供サーバ２１は、生成した家族構成員テーブルにおいて、家族における保持者（本人）以外の構成員に対応する欄の各々に、個人識別情報（すなわち構成員識別情報）、属性情報それぞれを書き込んで記憶させる。
サービス提供サーバ２１は、図５に示す利用者テーブル（提供するサービス毎に設けられている）に対して、保持者（本人）の個人識別情報、属性情報それぞれを書き込んで記憶させ、サービスの利用者として登録する。
【００４９】
ステップＳ１０８：
サービス提供サーバ２１は、保持者（本人）が申請したサービスの利用の登録が終了したことを、保持者（本人）のユーザ端末３１に対して送信する。
ユーザ端末３１は、サービスの利用の登録が終了したことを、表示画面に表示して、保持者（本人）に通知する。
【００５０】
ステップＳ１０９：
サービス提供サーバ２１は、保持者（本人）が申請したサービスの利用の登録の処理が失敗したことを、認証されなかった個人識別情報とともに、保持者（本人）のユーザ端末３１に対して送信する。
ユーザ端末３１は、サービスの利用の登録の処理が失敗したことを、認証されなかった個人識別情報とともに表示画面に表示して、保持者（本人）に通知する。
【００５１】
図７は、シェアリングサービスシステム１００による、家族における保持者（本人）以外の構成員がサービスの利用を行なう処理の動作例を示すフローチャートである。
ステップＳ２０１：
保持者（本人）以外の構成員（以下、単に依頼者とする）は、自身の利用者宅３におけるユーザ端末３１により、サービスの申請先であるサービス提供会社カンリセンターのサービス提供サーバ２１にアクセスし、サービス提供会社のホームページにおいて、サービスの利用を要求する。
このとき、サービス提供サーバ２１は、ユーザ端末３１に対してサービスの利用を要求する依頼者の個人識別情報（すなわち、構成員識別情報）を要求する。
【００５２】
ステップＳ２０２：
ユーザ端末３１は、依頼者の個人識別情報を読み取るため、依頼者に対して個人識別情報記録装置１をカードリーダライタ３２にかざすことを要求する通知を行なう。
そして、依頼者は、個人識別情報記録装置１をカードリーダライタ３２にかざすことにより、依頼者自身の個人識別情報の入力を行なう。
【００５３】
ステップＳ２０３：
これにより、ユーザ端末３１は、カードリーダライタ３２を介して、個人識別情報記録装置１から依頼者の個人識別情報を読み取る。
【００５４】
ステップＳ２０４：
依頼者は、ログイン画面においてログインＩＤとして自身の個人識別情報が入力されたことを確認した後、サービスを申請した保持者（本人）の個人識別情報をパスワードとして入力する。
これにより、ユーザ端末３１は、個人識別情報及びパスワード（アカウント）の各々を、サービス提供サーバ２１に対して送信する。
【００５５】
ステップＳ２０５：
サービス提供サーバ２１は、供給されたパスワード、すなわち、利用者管理データベース２２を参照し、サービスを申請した保持者（本人）の個人識別情報がパスワードと一致する家族構成員テーブルを検索する。
ここで、サービス提供サーバ２１は、本人の欄にパスワードとして入力された個人識別情報が記載された家族構成員テーブルが検出されるか否かにより、パスワードが有効であるか否かの判定（パスワードＯＫ？の判定）を行なう。
【００５６】
ステップＳ２０６：
そして、サービス提供サーバ２１は、本人の欄にパスワードとして入力された個人識別情報が記載された家族構成員テーブルが検出された場合、パスワードが有効であるとして、処理をステップ２０７へ進める。
一方、サービス提供サーバ２１は、本人の欄にパスワードとして入力された個人識別情報が記載された家族構成員テーブルが検出されない場合、パスワードが有効でない（無効である）として、処理をステップ２１１へ進める。
【００５７】
ステップＳ２０７：
サービス提供サーバ２１は、利用者管理データベース２２の利用者テーブルを参照して、依頼者の個人識別情報が登録されているか否かの判定を行なう。
このとき、サービス提供サーバ２１は、利用者テーブルにおいて依頼者の個人識別情報が検出された場合、認証が行なわれた（認証ＯＫである）として、処理をステップＳ２１０へ進める。
一方、サービス提供サーバ２１は、利用者テーブルにおいて依頼者の個人識別情報が検出されない場合、認証が行なわれない（認証ＮＧである）として、処理をステップＳ２０８へ進める。
【００５８】
ステップＳ２０８：
サービス提供サーバ２１は、利用者管理データベース２２における、本人の欄にパスワードとして入力された個人識別情報が記載された家族構成員テーブルを参照し、この家族構成員テーブルに依頼者の個人識別情報が存在するか否かの判定を行なう。
このとき、サービス提供サーバ２１は、家族構成員テーブルに依頼者の個人識別情報が存在する場合、サービスの共有を行なう登録が行なわれているとして、処理をステップＳＳ２０９へ進める。
一方、サービス提供サーバ２１は、家族構成員テーブルに依頼者の個人識別情報が存在しない場合、サービスの共有を行なう登録が行なわれていないとして（すなわち、保持者（本人）以外の家族の構成員である依頼者が初めてサービスの利用を要求したとして）、処理をステップＳＳ２１１へ進める。
【００５９】
ステップＳ２０９：
サービス提供サーバ２１は、利用者管理データベース２２における利用者テーブルに対し、依頼者の個人識別情報を書き込み、依頼されたサービスに対する依頼者の登録を行なう。すなわち、サービス提供サーバ２１は、サービスの利用を申請した保持者（本人）と同様に、このサービスを共有して利用する依頼を行なった依頼者を、利用者テーブルに書き込むことで、保持者（本人）とサービスを共有する利用者として、利用者テーブルの登録情報の変更を行なう。
【００６０】
ステップＳ２１０：
サービス提供サーバ２１は、依頼者が保持者（本人）と共有して利用することを依頼したサービスを実行する。
【００６１】
ステップＳ２１１：
サービス提供サーバ２１は、依頼されたサービスを共有して利用するための登録が行えないことを、ユーザ端末３１に対して送信する。
ユーザ端末３１は、サービスを共有して利用するための依頼の処理が失敗したことを、登録されなかった個人識別情報とともに表示画面に表示して、依頼者に通知する。
【００６２】
上述したように、本実施形態によれば、個人識別情報記録装置１に保持者（本人）の個人識別情報と、この保持者の家族における構成員の構成員識別情報とが記憶されているため、保持者（本人）が家族で共有して（シェアリングして）利用するサービスを申請する際、個人識別情報記録装置１から個人識別情報及び構成員識別情報を一括して読み出すことが可能となり、家族内における申請者以外の構成員の各々を一々登録する必要が無く、かつ構成員が証明書を有していなくとも、個人識別情報認証機関４が認証していれば、公的な証明として個人が識別できるため、認証の信頼度を向上させつつ、利用者の登録を容易に行うことができる。
【００６３】
なお、本発明における図１のカードアプリケーション１３、サービス提供サーバ２１及び個人情報付与サーバ４１の各々の機能を実現するためのプログラムをコンピュータ読み取り可能な記録媒体に記録して、この記録媒体に記録されたプログラムをコンピュータシステムに読み込ませ、実行することによりサービスを共有する家族内の構成員の個人識別情報を一括して取り込む処理を行ってもよい。なお、ここでいう「コンピュータシステム」とは、ＯＳや周辺機器等のハードウェアを含むものとする。
【００６４】
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６６】
１…個人識別情報記録装置
２…サービス提供会社管理センター
３…利用者宅
４…個人識別情報認証機関
１１…カード制御部
１２…記憶部
１３…カードアプリケーション
２１…サービス提供サーバ
２２…利用者管理データベース
３１…ユーザ端末
３２…カードリーダライタ
４１…個人情報付与サーバ
４２…個人情報管理データベース
１００…シェアリングサービスシステム
【図１】
2020013496.tif 000003
【図２】
2020013496.tif 000004
【図３】
2020013496.tif 000005
【図４】
2020013496.tif 000006
【図５】
2020013496.tif 000007
【図６】
2020013496.tif 000008
【図７】
2020013496.tif 000009